(57)【要約】【課題】露出の演算誤差を低減する電子カメラを提供する。【解決手段】電子カメラ１は、撮像手段２２、２３と、発光手段２４に対して撮影前の予備発光および撮影時の本発光をそれぞれ指示する発光指示手段１１と、予備発光時に撮像手段２２、２３で取得された信号を用いて本発光時の発光量を演算する演算手段１１と、撮像手段２２、２３の予備発光時の感度を撮影距離情報に応じて制御する制御手段１１とを備える。【選択図】図１
2008219334.tif 000002
【特許請求の範囲】
【請求項１】
撮像手段と、
発光手段に対して撮影前の予備発光および撮影時の本発光をそれぞれ指示する発光指示手段と、
前記予備発光時に前記撮像手段で取得された信号を用いて前記本発光時の発光量を演算する演算手段と、
前記撮像手段の前記予備発光時の感度を撮影距離情報に応じて制御する制御手段とを備えることを特徴とする電子カメラ。
【請求項２】
請求項１に記載の電子カメラにおいて、
前記制御手段は、前記撮影距離が所定値以上の場合は前記撮影距離が所定値未満の場合に比べて前記予備発光時の感度を高くすることを特徴とする電子カメラ。
【請求項３】
請求項１に記載の電子カメラにおいて、
前記制御手段は、前記撮影距離が長いほど前記予備発光時の感度を高くすることを特徴とする電子カメラ。
【請求項４】
請求項１〜３のいずれか一項に記載の電子カメラにおいて、
測距手段をさらに備え、
前記制御手段は、前記測距手段による測距情報を用いて前記撮像手段の感度を制御することを特徴とする電子カメラ。
【請求項５】
請求項４に記載の電子カメラにおいて、
前記制御手段は、前記測距手段が測距不能の場合に前記撮像手段の感度を所定値に制御することを特徴とする電子カメラ。
【請求項６】
請求項４に記載の電子カメラにおいて、
前記測距手段は、測距時の明るさ不足を補う補助光源を有することを特徴とする電子カメラ。
【請求項７】
請求項１〜６のいずれか一項に記載の電子カメラにおいて、
前記撮像手段は、撮影時に使用する撮像素子で構成されることを特徴とする電子カメラ。
【請求項８】
請求項７に記載の電子カメラにおいて、
前記制御手段は、前記撮影時の感度を前記予備発光の感度を基に設定することを特徴とする電子カメラ。
【請求項９】
請求項７に記載の電子カメラにおいて、
前記制御手段は、前記予備発光時の感度および前記撮影時の感度を所定比以内に制御することを特徴とする電子カメラ。
【請求項１０】
請求項１に記載の電子カメラにおいて、
前記制御手段は、前記撮像手段の前記予備発光時の感度を撮影光学系のＦ値に応じて制御することを特徴とする電子カメラ。
【発明の詳細な説明】
【技術分野】
【０００１】
本発明は、電子カメラに関する。
【背景技術】
【０００２】
撮影前に予備発光（プリ発光）させて撮影時の発光量（本発光量）を演算する電子カメラにおいて、予備発光時に見かけ上の光量を上げるために撮像感度を上げる技術が知られている（特許文献１参照）。
【０００３】
【特許文献１】特開２００６−３４３６４６号公報
【発明の開示】
【発明が解決しようとする課題】
【０００４】
予備発光時の感度と撮影時の感度とが異なる場合、両感度の比率で演算誤差が増倍され、撮影時に適正露出が得られない場合が生じる問題があった。
【課題を解決するための手段】
【０００５】
（１）本発明による電子カメラは、撮像手段と、発光手段に対して撮影前の予備発光および撮影時の本発光をそれぞれ指示する発光指示手段と、予備発光時に撮像手段で取得された信号を用いて本発光時の発光量を演算する演算手段と、撮像手段の予備発光時の感度を撮影距離情報に応じて制御する制御手段とを備えることを特徴とする。
（２）請求項１に記載の電子カメラにおいて、制御手段は、撮影距離が所定値以上の場合は撮影距離が所定値未満の場合に比べて予備発光時の感度を高くすることが好ましい。
（３）請求項１に記載の電子カメラにおいて、制御手段は、撮影距離が長いほど予備発光時の感度を高くすることが好ましい。
（４）請求項１〜３のいずれか一項に記載の電子カメラはさらに、測距手段を備えてもよい。この場合の制御手段は、測距手段による測距情報を用いて撮像手段の感度を制御することが好ましい。
（５）請求項４に記載の電子カメラにおいて、制御手段は、測距手段が測距不能の場合に撮像手段の感度を所定値に制御することが好ましい。
（６）請求項４に記載の電子カメラにおいて、測距手段は、測距時の明るさ不足を補う補助光源を有することが好ましい。
（７）請求項１〜６のいずれか一項に記載の電子カメラにおいて、撮像手段は、撮影時に使用する撮像素子で構成されていてもよい。
（８）請求項７に記載の電子カメラにおいて、制御手段は、撮影時の感度を予備発光の感度を基に設定することが好ましい。
（９）請求項７に記載の電子カメラにおいて、制御手段は、予備発光時の感度および撮影時の感度を所定比以内に制御することが好ましい。
（１０）請求項１に記載の電子カメラにおいて、制御手段は、撮像手段の予備発光時の感度を撮影光学系のＦ値に応じて制御することが好ましい。
【発明の効果】
【０００６】
本発明による電子カメラでは、露出の演算誤差を低減できる。
【発明を実施するための最良の形態】
【０００７】
以下、図面を参照して本発明を実施するための最良の形態について説明する。図１は、本発明の一実施の形態による電子カメラ１の要部構成を説明するブロック図である。電子カメラ１は、メインＣＰＵ１１によって制御される。
【０００８】
撮影レンズ２１は、撮像素子２２の撮像面上に被写体像を結像させる。撮像素子２２はＣＣＤイメージセンサなどで構成され、撮像面上の被写体像を撮像し、撮像信号を撮像回路２３へ出力する。
【０００９】
ＮＤ(Neutral Density)フィルタ２０は、透過光を所定量（たとえば、アペックス値で２段相当）減衰させる減光部材である。ＮＤフィルタ２０は、駆動機構１９によって撮影レンズ２１の光軸と直交する向きに進退駆動される。ＮＤフィルタ２０が駆動されて被写体光の光路上へ挿入された場合、撮像素子２２へ入射される光量がＮＤフィルタ２０で制限される。一方、ＮＤフィルタ２０が駆動されて被写体光の光路外へ退避された場合、撮像素子２２へ入射される光量は制限されない。駆動機構１９は、メインＣＰＵ１１からの指示に応じてＮＤフィルタ２０に対する進退駆動を行う。
【００１０】
撮像回路２３は、メインＣＰＵ１１からの感度変更指示に応じて撮像感度（露光感度）を所定範囲（たとえばＩＳＯ５０相当〜ＩＳＯ１０００相当）内において所定ステップで変更する。撮像感度は、撮像素子２２に蓄積された電荷の検出感度、もしくは不図示の増幅回路の増幅利得を変化させる被制御量のことをいう。撮像感度値は、相当するＩＳＯ感度値で表される。撮影回路２３はさらに、メインＣＰＵ１１からの撮影指示に応じて、内蔵されるＡ／Ｄ変換回路を用いてアナログ撮像信号をディジタルデータに変換する。
【００１１】
ＡＦ装置１８は、メインＣＰＵ１１からの指示に応じて撮影レンズ２１のフォーカス調節状態を検出し、検出結果とメインＣＰＵ１１で演算した被写体画像のコントラストに応じて撮影レンズ２１を構成する不図示のフォーカスレンズを光軸方向に進退駆動する。ＡＦ装置１８が検出するフォーカス情報はフォーカスレンズの位置であり、その情報から主要被写体までの距離を示す撮影距離情報を得ることができる。
【００１２】
メインＣＰＵ１１は、各ブロックから出力される信号を入力して所定の演算を行い、演算結果に基づく制御信号を各ブロックへ出力する。画像処理回路１２は、たとえばＡＳＩＣとして構成され、撮像回路２３から入力されるディジタル画像信号に対して所定の画像処理を行う。画像処理には、たとえば、輪郭強調や色温度調整（ホワイトバランス調整）処理、画像信号に対するフォーマット変換処理が含まれる。
【００１３】
画像圧縮回路１３は、画像処理回路１２による処理後の画像信号に対して、JPEG方式で所定の圧縮比率の画像圧縮処理を行う。表示画像作成回路１５は、撮像画像を液晶モニタ１６に表示させるための表示データを作成する。
【００１４】
記録媒体３０は、電子カメラ１に対して着脱可能なメモリカードなどで構成される。記録媒体３０には、メインＣＰＵ１１からの指示によって撮影画像のデータおよびその情報を含む画像ファイルが記録される。記録媒体３０に記録された画像ファイルは、メインＣＰＵ１１からの指示によって読み出しが可能である。
【００１５】
バッファメモリ１４は、画像処理前後および画像処理途中のデータを一時的に格納する他、記録媒体３０へ記録する前の画像ファイルを格納したり、記録媒体３０から読み出した画像ファイルを格納したりするために使用される。
【００１６】
操作部材１７は、電子カメラ１の各種ボタンやスイッチ類を含み、レリーズボタンの押下操作、機能設定スイッチの切換操作など、各操作部材の操作内容に応じた操作信号をメインＣＰＵ１１へ出力する。
【００１７】
発光装置２４は、メインＣＰＵ１１からの指示に応じて所定の光量で発光し、被写体を照明する。発光装置２４はメインＣＰＵ１１へ発光準備情報（充電情報など）を送信し、メインＣＰＵ１１は発光装置２４へ発光タイミング（発光指示）および発光量を指示する情報を送信する。発光装置２４の使用が許可されている場合の電子カメラ１は、撮影時に被写体が暗いと判定した場合などに発光装置２４を発光させるように撮影条件を設定する。発光装置２４の使用が禁止されている場合の電子カメラは、発光装置２４を発光させないように撮影条件を設定する。
【００１８】
＜撮影動作＞
メインＣＰＵ１１は、レリーズボタンの押下操作を示す操作信号が操作部材１７から入力されると、測光を開始させる。具体的には、撮像素子２２に測光用の撮像を行わせ、電荷蓄積後に出力される撮像信号の信号値から被写界の明るさ情報を取得する。メインＣＰＵ１１はさらに、明るさ情報に基づいて露出演算を行い、露出条件を決定する。
【００１９】
メインＣＰＵ１１は、露出演算後にフォーカス調節を行って撮影動作へ進む。具体的には、上記決定した露出条件で撮像素子２２に撮影用の電荷蓄積を行わせる。撮像回路２３は、撮影用の電荷蓄積後に撮像素子２２から出力される撮像信号に対し、上述した信号処理を施す。
【００２０】
画像処理回路１２が信号処理を施した画像データを表示画像作成回路１５へ出力することにより、撮影画像が液晶モニタ１６に表示される。また、画像圧縮回路１３によって圧縮処理された画像データが記録媒体３０へ記録される。なお、操作部材１７の操作によって記録媒体３０へ非圧縮状態での記録が指示されている場合には、画像圧縮回路１３での圧縮処理を行わずに記録媒体３０へ記録するように構成されている。
【００２１】
本実施形態は、発光装置２４からの発光が許可されている場合の動作に特徴を有するので、この点を中心にさらに説明する。プログラムオートモードに設定されている電子カメラ１のメインＣＰＵ１１は、被写界の明るさに応じてシャッタ速度、絞り値、感度、発光装置２４の発光要否および発光時の発光量を自動的に決定する。電子カメラ１の絞り値は、ＮＤフィルタ２０を光路に対して挿抜することによる２つの値が択一的に選ばれる。シャッタ速度は撮像素子２２の電荷蓄積時間（露光時間）に対応し、撮像素子２２の電荷蓄積時間は、いわゆる電子シャッタ方式で制御される。
【００２２】
図２は、発光装置２４の発光許可が設定されている場合の露出制御を例示するプログラム線図である。本実施形態では、いわゆるスローシンクロ制御を行う。図２において、縦軸は被写体輝度ＢＶ（被写界の明るさ）を表し、上側ほど高輝度であり、下側ほど低輝度である。横軸（上）は決定されるシャッタ速度を表し、右側ほど高速であり、左側ほど低速である。横軸（下）は決定される撮像感度を表し、右側ほど高感度であり、左側ほど低感度である。実線は撮影レンズ２１のズームレンズが広角側（ワイド端）に移動されている場合の制御例を表し、破線は撮影レンズ２１のズームレンズが望遠側（テレ端）に移動されている場合の制御例を表す。広角側と望遠側とで制御を変えているのは、広角側と望遠側とで撮影レンズ２１の開放Ｆ値が異なるためである。
【００２３】
メインＣＰＵ１１は、所定の明るさの場合、電荷蓄積中（露光中）に発光装置２４を所定光量でフラッシュ発光（本発光）させる。発光装置２４の発光を伴うシャッタ速度の範囲を図２の横軸下側に例示する。実線は撮影レンズ２１のズームレンズが広角側（ワイド端）に移動されている場合の発光範囲を表し、破線は撮影レンズ２１のズームレンズが望遠側（テレ端）に移動されている場合の発光範囲を表す。
【００２４】
１．ワイド端時の制御
以下、図２を参照して広角側の制御について説明する。
（輝度範囲１）ＢＶ≧８
メインＣＰＵ１１は、レリーズボタンの押下操作に応じて行う測光結果がＢＶ８以上であれば駆動機構１９へ指示を送り、撮像素子２２へ導かれる被写体光の光路上へＮＤフィルタ２０を移動させる。これにより、撮像素子２２に入射される光量は、ＮＤフィルタ２０が上記光路外へ移動されている場合（開放絞り時）に比べて、アペックス値で２段相当減少する。
【００２５】
メインＣＰＵ１１はさらに、撮像回路２３へ指示を送り、撮像感度を初期値に設定させる。本実施形態における感度初期値はＳ０とする。感度初期値Ｓ０は、撮像感度の制御範囲のうち低感度側の値（制御限界値でなくてよい）とするのが好ましい。メインＣＰＵ１１は、ＮＤフィルタ２０が上記光路上に挿入されている状態（小絞り）で適正露出が得られるようにシャッタ速度を演算し、実線で示す制御値を得る。
【００２６】
具体的には、ＢＶ８より高輝度側において撮像感度を上記初期値Ｓ０に維持し、シャッタ速度をＴ１'から高輝度側（シャッタ速度としては高速側）の制御限界値まで被写体輝度ＢＶに応じて変化させることにより、制御露出を決定する。シャッタ速度Ｔ１'はあらかじめプログラムされている値であり、感度Ｓ０および小絞り時においてＢＶ８に対応する速度である。輝度範囲１では発光装置２４を非発光とする。
【００２７】
（輝度範囲２）８＞ＢＶ≧５
メインＣＰＵ１１は、レリーズボタンの押下操作に応じて行う測光結果がＢＶ８未満であれば駆動機構１９へ指示を送り、撮像素子２２へ導かれる被写体光の光路外へＮＤフィルタ２０を移動させる。これにより、撮像素子２２に入射される光量は、ＮＤフィルタ２０が上記光路上へ移動されている場合（小絞り時）に比べて、アペックス値で２段相当増加する。
【００２８】
メインＣＰＵ１１は、ＮＤフィルタ２０が上記光路外へ退避されている状態（絞り開放）で適正露出が得られるようにシャッタ速度を演算し、実線で示す制御値を得る。具体的にはＢＶ５〜ＢＶ８の範囲において撮像感度を上記初期値Ｓ０に維持し、シャッタ速度をＴ１から高輝度側（シャッタ速度としては高速側）のシャッタ速度Ｔ０まで被写体輝度ＢＶに応じて変化させることにより、制御露出を決定する。
【００２９】
シャッタ速度Ｔ１はあらかじめプログラムされている値であり、いわゆる手ぶれ限界秒時と呼ばれる露光時間（たとえば、１／焦点距離で示される）に対応する速度より高速側の値とする。また、シャッタ速度Ｔ０は感度Ｓ０および絞り開放時においてＢＶ８に対応する速度である。輝度範囲２では発光装置２４を非発光とする。
【００３０】
（輝度範囲３）５＞ＢＶ≧２
メインＣＰＵ１１は、５＞ＢＶ≧２の範囲では、適正露出が得られるように撮像感度を演算し、実線で示す制御値を得る。具体的にはＢＶ５〜ＢＶ２の範囲においてシャッタ速度をＴ１に維持し、撮像感度を初期値Ｓ０から低輝度側（撮像感度としては高感度側）の制御範囲内の所定値Ｓ１まで被写体輝度ＢＶに応じて変化させることにより、制御露出を決定する。輝度範囲３では発光装置２４を非発光とする。
【００３１】
（輝度範囲４）２＞ＢＶ≧−３
メインＣＰＵ１１は、２＞ＢＶ≧−３の範囲では、適正露出が得られるようにシャッタ速度を演算し、実線で示す制御値を得る。具体的にはＢＶ(−３)〜ＢＶ２の範囲において撮像感度を上記Ｓ１に維持し、シャッタ速度をＴ２から高輝度側（シャッタ速度としては高速側）のシャッタ速度Ｔ１まで被写体輝度ＢＶに応じて変化させることにより、制御露出を決定する。
【００３２】
シャッタ速度Ｔ２は、感度Ｓ１および絞り開放時においてＢＶ(−３)に対応する速度であって、低速側の制御限界値である。輝度範囲４では、上記手ぶれ限界秒時より高速側において発光装置２４を非発光とし、手ぶれ限界秒時より低速側において発光装置２４を発光させる。
【００３３】
（発光量の不足が見込まれる場合）
メインＣＰＵ１１は、撮像感度Ｓ１のままでシャッター速度をＴ２まで変化させても適正露出が得られない、すなわち、発光装置２４をフル発光（最大発光）させても主要被写体が暗い場合には、シャッタ速度をＴ２に維持し、適正露出に近づけるように撮像感度をＳ１から低輝度側（撮像感度としては高感度側）の制御限界値Ｓ２まで変化させることにより、制御露出を決定する。
【００３４】
２．テレ端時の制御
次に、望遠側の制御について説明する。
（輝度範囲１）ＢＶ≧９．５
メインＣＰＵ１１は、レリーズボタンの押下操作に応じて行う測光結果がＢＶ９．５以上であれば駆動機構１９へ指示を送り、撮像素子２２へ導かれる被写体光の光路上へＮＤフィルタ２０を移動させる。
【００３５】
メインＣＰＵ１１は、撮像感度を初期値Ｓ０に設定させる、ＮＤフィルタ２０が上記光路上に挿入されている状態（小絞り）で適正露出が得られるようにシャッタ速度を演算し、破線で示す制御値を得る。
【００３６】
具体的には、ＢＶ９．５より高輝度側において撮像感度を上記初期値Ｓ０に維持し、シャッタ速度をＴ１'から高輝度側（シャッタ速度としては高速側）の制御限界値まで被写体輝度ＢＶに応じて変化させることにより、制御露出を決定する。シャッタ速度Ｔ１'はあらかじめプログラムされている値であり、感度Ｓ０および小絞り時においてＢＶ９．５に対応する速度である。輝度範囲１では発光装置２４を非発光とする。
【００３７】
（輝度範囲２）９．５＞ＢＶ≧７．５
メインＣＰＵ１１は、レリーズボタンの押下操作に応じて行う測光結果がＢＶ９．５未満であれば駆動機構１９へ指示を送り、撮像素子２２へ導かれる被写体光の光路外へＮＤフィルタ２０を移動させる。
【００３８】
メインＣＰＵ１１は、ＢＶ７．５〜ＢＶ９．５の範囲において撮像感度を上記初期値Ｓ０に維持し、シャッタ速度をＴ１'から高輝度側（シャッタ速度としては高速側）のシャッタ速度Ｔ０まで被写体輝度ＢＶに応じて変化させることにより、制御露出を決定する。
【００３９】
シャッタ速度Ｔ１'はあらかじめプログラムされている値であり、いわゆる手ぶれ限界秒時と呼ばれる露光時間に対応する速度より高速側の値とする。テレ端における手ぶれ限界速度が広角端における手ぶれ限界速度と異なるのは、望遠端および広角端間で焦点距離が異なるためである。輝度範囲２では発光装置２４を非発光とする。
【００４０】
（輝度範囲３）７．５＞ＢＶ≧４．５
メインＣＰＵ１１は、７．５＞ＢＶ≧４．５の範囲では、適正露出が得られるように撮像感度を演算し、破線で示す制御値を得る。具体的にはＢＶ７．５〜ＢＶ４．５の範囲においてシャッタ速度をＴ１'に維持し、撮像感度を初期値Ｓ０から低輝度側（撮像感度としては高感度側）の制御範囲内の所定値Ｓ１まで被写体輝度ＢＶに応じて変化させることにより、制御露出を決定する。輝度範囲３では発光装置２４を非発光とする。
【００４１】
（輝度範囲４）４．５＞ＢＶ≧−１．５
メインＣＰＵ１１は、４．５＞ＢＶ≧−１．５の範囲では、適正露出が得られるようにシャッタ速度を演算し、破線で示す制御値を得る。具体的にはＢＶ(−１．５)〜ＢＶ４．５の範囲において撮像感度を上記Ｓ１に維持し、シャッタ速度をＴ２から高輝度側（シャッタ速度としては高速側）のシャッタ速度Ｔ１'まで被写体輝度ＢＶに応じて変化させることにより、制御露出を決定する。
【００４２】
シャッタ速度Ｔ２は、感度Ｓ１および絞り開放時においてＢＶ(−１．５)に対応する速度であって、低速側の制御限界値である。輝度範囲４では、上記手ぶれ限界秒時より高速側において発光装置２４を非発光とし、手ぶれ限界秒時より低速側において発光装置２４を発光させる。
【００４３】
（発光量の不足が見込まれる場合）
メインＣＰＵ１１は、撮像感度Ｓ１のままでシャッター速度をＴ２まで変化させても適正露出が得られない、すなわち、発光装置２４をフル発光（最大発光）させても主要被写体が暗い場合には、シャッタ速度をＴ２に維持し、適正露出に近づけるように撮像感度をＳ１から低輝度側（撮像感度としては高感度側）の制御限界値Ｓ２まで変化させることにより、制御露出を決定する。
【００４４】
撮影露光中に発光装置２４を本発光させる場合の発光量の決定は、撮影前に発光装置２４を小光量で発光（プリ発光という）させて行う。具体的には、プリ発光時に撮像素子２２で調光用の撮像を行い、電荷蓄積後に撮像素子２２から出力される撮像信号の信号値を用いて、以下のように撮影時に必要な本発光量を決定する。
【００４５】
すなわち、調光用の撮像（プリ発光を伴う撮像）で取得した信号値と、プリ発光を伴わない撮像で取得した信号値（たとえばスルー画像の信号値）との差分を演算することにより、調光用の撮像で取得した信号から定常光成分を除去する。定常光成分を除去した信号領域は、プリ発光により照射されている被写体領域に対応する。メインＣＰＵ１１は、当該領域の信号を適正露出レベルまで高めるために必要な本発光量を算出する。
【００４６】
本発光量は、主要被写体が電子カメラ１に近い場合は主要被写体が遠い場合に比べて小さくてよく、被写界が明るい場合は暗い場合に比べて小さくてよく、撮像感度が高い場合は撮像感度が低い場合に比べて小さくてよい。メインＣＰＵ１１は、主要被写体までの距離情報、被写体輝度ＢＶ、および撮像感度を総合的に考慮して本発光量を演算する。
【００４７】
図３は、プリ発光時および撮影時にメインＣＰＵ１１が行う感度制御の流れを説明するフローチャートである。図３による処理は、撮影動作を開始すると起動される。ステップＳ１１において、メインＣＰＵ１１は、ＡＥ処理を行ってステップＳ１２へ進む。メインＣＰＵ１１は、測光して得た明るさ情報に基づいて、図２に例示した制御露出を決定する。ステップＳ１２において、メインＣＰＵ１１はＡＦ装置１８へ指示を送り、フォーカス調節を行わせてステップＳ１３へ進む。
【００４８】
ステップＳ１３において、メインＣＰＵ１１はフラッシュ発光の要否を判定する。メインＣＰＵ１１は、取得した明るさがフラッシュ発光を必要とする明るさである場合（図２）にステップＳ１３を肯定判定してステップＳ１４へ進む。メインＣＰＵ１１は、取得した明るさがフラッシュ発光を不要とする明るさの場合（図２）にはステップＳ１３を否定判定してステップＳ２３へ進む。
【００４９】
ステップＳ１４において、メインＣＰＵ１１は被写体距離が所定距離より遠いか否かを判定する。メインＣＰＵ１１は、ＡＦ装置１８で取得された距離情報が示す被写体距離が所定値（たとえば３ｍ）以上である場合にステップＳ１４を肯定判定してステップＳ１５へ進む。メインＣＰＵ１１は、被写体距離が所定値未満の場合にはステップＳ１４を否定判定してステップＳ１６へ進む。
【００５０】
ステップＳ１５において、メインＣＰＵ１１は撮像回路２３へ指示を送り、撮像感度をＳｐ（ただしＳ１＞Ｓｐ＞Ｓ０）にセットしてステップＳ１７へ進む。Ｓ０は上述した感度初期値である。ここで、Ｓ１／Ｓｐ比は４程度にするのが好ましい。ステップＳ１６において、メインＣＰＵ１１は撮像回路２３へ指示を送り、撮像感度をＳ０にセットしてステップＳ１７へ進む。ステップＳ１５およびステップＳ１６でセットする撮像感度はプリ発光用の感度である。
【００５１】
ステップＳ１７において、メインＣＰＵ１１は発光装置２４へ指示を送り、所定光量で所定時間プリ発光させてステップＳ１８へ進む。ステップＳ１８において、メインＣＰＵ１１は、上述したように調光用の撮像（プリ発光を伴う撮像）で取得した撮像信号に基づいて本発光量を算出し、ステップＳ１９へ進む。
【００５２】
ステップＳ１９において、メインＣＰＵ１１は最大発光が必要か否かを判定する。メインＣＰＵ１１は、発光装置２４の最大光量が必要な場合にステップＳ１９を肯定判定してステップＳ２０へ進み、発光装置２４の最大光量が必要でない場合にはステップＳ１９を否定判定してステップＳ２１へ進む。
【００５３】
ステップＳ２０において、メインＣＰＵ１１は撮像回路２３へ指示を送り、撮像感度をＳ１以上かつＳ２以下のいずれかの値にセットしてステップＳ２２へ進む。この場合は上述した「発光量の不足が見込まれる場合」に対応する。ステップＳ２１において、メインＣＰＵ１１は撮像回路２３へ指示を送り、撮像感度をＳ１にセットしてステップＳ２２へ進む。この場合は上述した「輝度範囲４」に対応する。ステップＳ２０およびステップＳ２１でセットする撮像感度は撮影用の感度である。
【００５４】
ステップＳ２２において、メインＣＰＵ１１は撮影処理を行って図３による処理を終了する。なお、ステップＳ１３を肯定判定した場合のメインＣＰＵ１１は、露光中に発光装置２４へ発光指示を送り、算出した本発光量でフラッシュ発光させる。
【００５５】
ステップＳ１３を否定判定した場合のメインＣＰＵ１１は、ステップＳ２３において撮像回路２３へ指示を送り、撮像感度をＳ０以上かつＳ１以下のいずれかの値にセットしてステップＳ２２へ進む。この場合は上述した「輝度範囲１、輝度範囲２、および輝度範囲３」のいずれかに対応する。
【００５６】
以上説明した実施形態によれば、次の作用効果が得られる。
（１）発光装置２４をプリ発光させて撮像素子２２で調光用の撮像を行い、この撮像で取得された信号を用いて発光装置２４の本発光時の発光量を演算する電子カメラ１は、プリ発光時の撮像感度を撮影距離に応じて制御する。撮影距離が異なれば、被写体で反射されて撮像素子２２へ入射されるプリ発光光のレベルも異なるので、入射光レベルが低い場合には本発光量算出に用いる信号のＳ／Ｎ比が低下して本発光量算出時の誤差が増加する。しかしながら、撮影距離に応じてプリ発光時の撮像感度を制御することにより、本発光量算出に用いる信号のＳ／Ｎ比の低下を抑えて本発光量算出時の誤差を低減できる。
【００５７】
（２）撮影距離が所定値（たとえば３ｍ）以上である場合に撮像感度を初期値Ｓ０からＳｐへ高めるようにしたので、撮影距離が長いことによるプリ発光光の到達距離の低下（被写体で反射されたプリ発光光のレベル低下）を補うことができる。
【００５８】
（３）撮影時の撮像感度Ｓ１と、プリ発光時の撮像感度Ｓｐとの比Ｓ１／Ｓｐを４にしたので、当該比を抑制しない場合（たとえば３２や６４）に比べて本発光量算出時の誤差の増倍度を抑制できる。
【００５９】
（４）撮影距離情報は、ＡＦ装置１８で取得された情報を用いるようにしたので、専用の測距手段を備えなくてもよい。
【００６０】
（５）撮影用の撮像素子２２で取得された信号を用いて本発光量を算出するようにしたので、専用の調光用センサを備えなくてもよい。
【００６１】
（６）電子カメラ１は、撮像感度Ｓ１を維持してシャッター速度をＴ２まで遅くしても適正露出が得られず、発光装置２４を最大発光させても主要被写体が暗い場合には、シャッタ速度をＴ２に維持して撮像感度をＳ１から限界値Ｓ２へ向けて変更可能とした。これにより、暗くて撮影距離が遠い条件での撮影に対応することができる。
【００６２】
（変形例１）
被写体距離が所定距離以下の場合（ステップＳ１４を否定判定）、プリ発光用感度をＳ０に固定する例を説明したが、必要に応じてプリ発光用感度をＳ０からＳｐまで高めてもよい。プリ発光を伴う調光用の撮像時に十分な撮像信号が得られない場合（たとえばプリ発光量を発光装置２４の最大光量まで高めても適正露出が得られない）は、本発光量算出に用いる信号のＳ／Ｎ比が低下するために本発光量算出時の誤差が増加する。プリ発光用感度をＳ０より高くすることにより、本発光量算出に用いる信号のＳ／Ｎ比を高めて本発光量算出時の誤差を低減できる。
【００６３】
（変形例２）
被写体距離が所定距離以上の場合（ステップＳ１４を肯定判定）、プリ発光用感度をＳｐに固定する例を説明したが、必要に応じてプリ発光用感度をＳｐから増減してもよい。プリ発光を伴う調光用の撮像時に十分な撮像信号が得られない場合は、上述したように本発光量算出時の誤差が増加する。そこで、プリ発光用感度をＳｐからさらに高くすることにより、本発光量算出時の誤差を低減できる。一方、プリ発光を伴う調光用の撮像時の撮像信号が高すぎる場合（たとえば被写体からの反射が強過ぎて露出オーバーになる）は、本発光量算出に用いる信号が飽和するなどして正確な本発光量算出が行えない。そこで、プリ発光用感度をＳｐから下げることにより、正しく本発光量算出できるようになる。
【００６４】
（変形例３）
プリ発光用感度を被写体距離に応じて細かく変化させてもよい。さらに、プリ発光用感度を撮影レンズ２１のズームポジション（焦点距離）に応じて細かく変化させてもよい。変形例３では、プリ発光用の感度と被写体距離との関係をあらかじめテーブル化してメインＣＰＵ１１内に格納しておき、メインＣＰＵ１１がプリ発光用の感度を設定する際に参照できるようにする。図５は、撮影レンズ２１のズームレンズが広角側（ワイド端）に移動されている場合のテーブルを例示する図であり、図６は、撮影レンズ２１のズームレンズが望遠側（テレ端）に移動されている場合のテーブルを例示する図である。図５および図６において、感度はＳ０＜Ｓ０ａ＜Ｓ０ｂ＜Ｓ１＜Ｓ１ａ＜Ｓ２の大小関係を有する。
【００６５】
変形例３のメインＣＰＵ１１は、図３のステップＳ１４〜ステップＳ１６の処理に代えて、図４に示すフローチャートの処理を行う。図４のステップＳ４１において、メインＣＰＵ１１は、ズームポジションに対応するテーブルを参照してステップＳ４２へ進む。ズームポジションは、たとえばズームレンズ（不図示）の駆動情報（当該ズームレンズを駆動するステッピングモータに対する制御情報など）から取得する。あるいは、ズーム調節環（不図示）の回転角を検出するように構成してもよい。テーブルは図５および図６に例示したワイド端、テレ端に対応するテーブルの他に中間の焦点距離に対応するテーブルを備えてもよい。メインＣＰＵ１１は、ズームポジションに最も近いテーブルを複数のテーブルの中から選ぶ。
【００６６】
ステップＳ４２において、メインＣＰＵ１１は、ＡＦ装置１８で取得された距離情報が示す被写体距離に応じた感度を参照テーブルから取得してステップＳ４３へ進む。なお、ＡＦ装置１８が被写体距離情報を取得不能の場合（たとえば、暗すぎる場合や被写体色が白い場合など、被写体像からコントラストを検出できない状態）は、デフォルト値として被写体距離２ｍに対応する感度を参照テーブルから取得するとよい。また、被写体距離情報が取得不能時に用いる感度をあらかじめ決めておいてもよい。
【００６７】
ステップＳ４３において、メインＣＰＵ１１は撮像回路２３へ指示を送り、テーブルから取得した撮像感度にセットして図３のステップＳ１７へ進む。ステップＳ４３でセットする撮像感度はプリ発光用の感度である。
【００６８】
以上説明した変形例３によれば、撮影距離に応じて撮像感度を初期値Ｓ０からＳ２へ徐々に高めるようにしたので、撮影距離が長いことによるプリ発光光の到達距離の低下（被写体で反射されたプリ発光光のレベル低下）を、上記実施形態よりも細かいステップで補うことができる。
【００６９】
また、変形例３によれば、ズームポジションに応じて異なるテーブルを設けたので、焦点距離の違いに伴う開放Ｆ値の相違によるプリ発光光の到達距離の低下（被写体で反射されたプリ発光光のレベル低下）を補うことができる。
【００７０】
さらにまた、変形例３によれば、デフォルト値としてプリ発光時の感度をあらかじめ用意するようにしたので、ＡＦ装置１８が被写体距離情報を取得不能の場合にも対応できる。
【００７１】
（変形例４）
上述した説明では、明るさ情報を撮像素子２２からの撮像信号を用いて取得するようにしたが、撮像素子２２と別に測光用センサを設け、このセンサ出力を用いて明るさ情報を取得する構成にしてもよい。
【００７２】
（変形例５）
ＡＦ装置１８の構成は、撮像素子２２からの撮像信号を用いて焦点評価値と呼ばれるコントラスト情報を取得するＡＦ方式でも、撮影レンズ２１の透過光以外の光束を利用するもの（いわゆる外光式ＡＦ）であってもよい。また、焦点検出用の赤外光などを発して焦点評価情報を取得するアクティブＡＦ方式で構成しても、赤外光などを発することなく焦点評価情報を取得するパッシブＡＦ方式で構成してもよい。アクティブＡＦ方式でない場合には、暗すぎてＡＦ装置１８が被写体距離情報を取得不能になることを避けるため、ＡＦ補助光源を備えることが好ましい。
【００７３】
（変形例６）
フォーカス調節がマニュアル操作によって行われた場合にも本発明を適用してよい。この場合には、撮影レンズ２１の焦点調節環（不図示）の回転角を検出するように構成しておく。メインＣＰＵ１１は、焦点調節環の回転角に基づいて撮影距離情報を取得し、プリ発光用の感度を制御する。
【００７４】
（変形例７）
発光装置２４は、電子カメラ１に内蔵されるものの他、外付けタイプの発光装置を用いるように構成してもよい。
【００７５】
（変形例８）
本撮影時の感度を、予備発光時の感度を基に設定しても構わない。たとえば、図５において予備発光時の感度をＳ１に設定した場合には、予備発光時の感度Ｓ１と、予備発光時の感度と一段感度が違うＳ０ｂ、Ｓ１ａの中から選んで本撮影時の感度を設定する。また、予備発光の感度をＳ１に設定した場合、その感度以上の感度、すなわち図５の場合にはＳ１、Ｓ１ａ、Ｓ２の中から本発光時の感度を選んでも構わない。予備発光時に設定した感度を基に、予備発光時の感度に近い感度で本撮影を行うので、感度の違いに起因する露出の演算誤差を低減することができる。
【００７６】
以上の説明はあくまで一例であり、上記の実施形態の構成に何ら限定されるものではない。
【図面の簡単な説明】
【００７７】
【図１】本発明の一実施形態である電子カメラの要部構成を説明するブロック図である。
【図２】発光装置の発光許可が設定されている場合の露出制御を例示するプログラム線図である。
【図３】メインＣＰＵが行う感度制御の流れを説明するフローチャートである。
【図４】変形例３で用いるフローチャートである。
【図５】ズームレンズが広角側（ワイド端）に移動されている場合のテーブルを例示する図である。
【図６】ズームレンズが望遠側（テレ端）に移動されている場合のテーブルを例示する図である。
【符号の説明】
【００７８】
１…電子カメラ
１１…メインＣＰＵ
２１…撮影レンズ
２２…撮像素子
２３…撮像回路
２４…発光装置
【図１】
2008219334.tif 000003
【図２】
2008219334.tif 000004
【図３】
2008219334.tif 000005
【図４】
2008219334.tif 000006
【図５】
2008219334.tif 000007
【図６】
2008219334.tif 000008